【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
少なくとも表面の一部が主としてＴｉまたはステンレス鋼で構成された基材と、
前記基材上に設けられ、主としてＴｉＣで構成された被膜とを有し、
前記被膜は、少なくとも、第１の層と、該第１の層の前記基材に対向する面側に設けられた第２の層とを有する積層体であり、
前記第２の層の弾性率が、前記第１の層の弾性率よりも大きいことを特徴とする時計用外装部品。
【請求項２】
前記第１の層中におけるＣの含有率が４５質量％以上６０質量％以下である請求項１に記載の時計用外装部品。
【請求項３】
前記第２の層中におけるＣの含有率が３５質量％以上５５質量％以下である請求項１または２に記載の時計用外装部品。
【請求項４】
前記第１の層中におけるＣの含有率をＸ１［質量％］、前記第２の層中におけるＣの含有率をＸ２［質量％］としたとき、５≦Ｘ１−Ｘ２≦２５の関係を満足する請求項１ないし３のいずれか１項に記載の時計用外装部品。
【請求項５】
前記第１の層の平均厚さは、０．１０μｍ以上０．３０μｍ以下である請求項１ないし４のいずれか１項に記載の時計用外装部品。
【請求項６】
前記第２の層の平均厚さは、０．６０μｍ以上１．０μｍ以下である請求項１ないし５のいずれか１項に記載の時計用外装部品。
【請求項７】
前記被膜の平均厚さは、１．１μｍ以上１．９μｍ以下である請求項１ないし６のいずれか１項に記載の時計用外装部品。
【請求項８】
前記被膜は、前記第２の層の前記基材に対向する面側に、前記第２の層よりも弾性率が大きい第３の層をさらに有するものである請求項１ないし７のいずれか１項に記載の時計用外装部品。
【請求項９】
前記第３の層中におけるＣの含有率が１５質量％以上３５質量％以下である請求項８に記載の時計用外装部品。
【請求項１０】
前記第２の層中におけるＣの含有率をＸ２［質量％］、前記第３の層中におけるＣの含有率をＸ３［質量％］としたとき、５≦Ｘ２−Ｘ３≦４０の関係を満足する請求項８または９に記載の時計用外装部品。
【請求項１１】
前記第３の層の平均厚さは、０．４０μｍ以上０．６０μｍ以下である請求項８ないし１０のいずれか１項に記載の時計用外装部品。
【請求項１２】
ベゼル、胴、りゅうず、裏蓋、時計バンドのうちの少なくともいずれか一つである請求項１ないし１１のいずれか１項に記載の時計用外装部品。
【請求項１３】
請求項１ないし１２のいずれか１項に記載の時計用外装部品を備えたことを特徴とする時計。
【手続補正２】
【補正対象書類名】明細書
【補正対象項目名】発明の名称
【補正方法】変更
【補正の内容】
【発明の名称】時計用外装部品および時計
【手続補正３】
【補正対象書類名】明細書
【補正対象項目名】０００１
【補正方法】変更
【補正の内容】
【０００１】
本発明は、時計用外装部品および時計に関する。
【手続補正４】
【補正対象書類名】明細書
【補正対象項目名】０００８
【補正方法】変更
【補正の内容】
【０００８】
本発明の目的は、傷や打痕等の凹みが付き難く、比較的大きな外力が加わり凹みを生じた場合でも、当該凹みが目立ちにくい時計用外装部品を提供すること、また、当該時計用外装部品を備えた時計を提供することにある。
【手続補正５】
【補正対象書類名】明細書
【補正対象項目名】０００９
【補正方法】変更
【補正の内容】
【０００９】
このような目的は、下記の本発明により達成される。
本発明の時計用外装部品は、少なくとも表面の一部が主としてＴｉまたはステンレス鋼で構成された基材と、
前記基材上に設けられ、主としてＴｉＣで構成された被膜とを有し、
前記被膜は、少なくとも、第１の層と、該第１の層の前記基材に対向する面側に設けられた第２の層とを有する積層体であり、
前記第２の層の弾性率が、前記第１の層の弾性率よりも大きいことを特徴とする。
【手続補正６】
【補正対象書類名】明細書
【補正対象項目名】００１０
【補正方法】変更
【補正の内容】
【００１０】
これにより、傷や打痕等の凹みが付き難く、比較的大きな外力が加わり凹みを生じた場合でも、当該凹みが目立ちにくい時計用外装部品を提供することができる。
【手続補正７】
【補正対象書類名】明細書
【補正対象項目名】００１１
【補正方法】変更
【補正の内容】
【００１１】
本発明の時計用外装部品では、前記第１の層中におけるＣの含有率が４５質量％以上６０質量％以下であることが好ましい。
【手続補正８】
【補正対象書類名】明細書
【補正対象項目名】００１３
【補正方法】変更
【補正の内容】
【００１３】
本発明の時計用外装部品では、前記第２の層中におけるＣの含有率が３５質量％以上５５質量％以下であることが好ましい。
【手続補正９】
【補正対象書類名】明細書
【補正対象項目名】００１４
【補正方法】変更
【補正の内容】
【００１４】
これにより、被膜全体として硬度をより高いものとしつつ、第２の層による自己修復機能をより顕著なものとすることができる。また、第１の層と第２の層との密着性をより優れたものとすることができ、第１の層と第２の層との間での層間剥離等をより効果的に防止することができる。その結果、時計用外装部品の耐久性、信頼性をより優れたものとすることができる。
【手続補正１０】
【補正対象書類名】明細書
【補正対象項目名】００１５
【補正方法】変更
【補正の内容】
【００１５】
本発明の時計用外装部品では、前記第１の層中におけるＣの含有率をＸ１［質量％］、前記第２の層中におけるＣの含有率をＸ２［質量％］としたとき、５≦Ｘ１−Ｘ２≦２５の関係を満足することが好ましい。
【手続補正１１】
【補正対象書類名】明細書
【補正対象項目名】００１６
【補正方法】変更
【補正の内容】
【００１６】
これにより、被膜全体として硬度をより高いものとしつつ、第２の層による自己修復機能をより顕著なものとすることができる。また、第１の層と第２の層との密着性をより優れたものとすることができ、第１の層と第２の層との間での層間剥離等をより効果的に防止することができる。その結果、時計用外装部品の耐久性、信頼性をより優れたものとすることができる。
【手続補正１２】
【補正対象書類名】明細書
【補正対象項目名】００１７
【補正方法】変更
【補正の内容】
【００１７】
本発明の時計用外装部品では、前記第１の層の平均厚さは、０．１０μｍ以上０．３０μｍ以下であることが好ましい。
【手続補正１３】
【補正対象書類名】明細書
【補正対象項目名】００１９
【補正方法】変更
【補正の内容】
【００１９】
本発明の時計用外装部品では、前記第２の層の平均厚さは、０．６０μｍ以上１．０μｍ以下であることが好ましい。
【手続補正１４】
【補正対象書類名】明細書
【補正対象項目名】００２１
【補正方法】変更
【補正の内容】
【００２１】
本発明の時計用外装部品では、前記被膜の平均厚さは、１．１μｍ以上１．９μｍ以下であることが好ましい。
【手続補正１５】
【補正対象書類名】明細書
【補正対象項目名】００２２
【補正方法】変更
【補正の内容】
【００２２】
これにより、被膜の内部応力が大きくなるのを十分に防止しつつ、比較的大きな外力が加わり凹みを生じた場合でも、当該凹みをより目立ちにくいものとすることができる。したがって、時計用外装部品の耐久性をより優れたものとすることができる。
【手続補正１６】
【補正対象書類名】明細書
【補正対象項目名】００２３
【補正方法】変更
【補正の内容】
【００２３】
本発明の時計用外装部品では、前記被膜は、前記第２の層の前記基材に対向する面側に、前記第２の層よりも弾性率が大きい第３の層をさらに有するものであることが好ましい。
【手続補正１７】
【補正対象書類名】明細書
【補正対象項目名】００２５
【補正方法】変更
【補正の内容】
【００２５】
本発明の時計用外装部品では、前記第３の層中におけるＣの含有率が１５質量％以上３５質量％以下であることが好ましい。
【手続補正１８】
【補正対象書類名】明細書
【補正対象項目名】００２６
【補正方法】変更
【補正の内容】
【００２６】
これにより、被膜全体として硬度をより高いものとしつつ、第３の層による自己修復機能をより顕著なものとすることができる。また、第２の層と第３の層との密着性、基材と第３の層との密着性をより優れたものとすることができ、第２の層と第３の層との間での層間剥離、基材と第３の層との間での層間剥離等をより効果的に防止することができる。その結果、時計用外装部品の耐久性、信頼性をより優れたものとすることができる。
【手続補正１９】
【補正対象書類名】明細書
【補正対象項目名】００２７
【補正方法】変更
【補正の内容】
【００２７】
本発明の時計用外装部品では、前記第２の層中におけるＣの含有率をＸ２［質量％］、前記第３の層中におけるＣの含有率をＸ３［質量％］としたとき、５≦Ｘ２−Ｘ３≦４０の関係を満足することが好ましい。
【手続補正２０】
【補正対象書類名】明細書
【補正対象項目名】００２８
【補正方法】変更
【補正の内容】
【００２８】
これにより、被膜全体として硬度をより高いものとしつつ、第３の層による自己修復機能をより顕著なものとすることができる。また、第２の層と第３の層との密着性、基材と第３の層との密着性をより優れたものとすることができ、第２の層と第３の層との間での層間剥離、基材と第３の層との間での層間剥離等をより効果的に防止することができる。その結果、時計用外装部品の耐久性、信頼性をより優れたものとすることができる。
【手続補正２１】
【補正対象書類名】明細書
【補正対象項目名】００２９
【補正方法】変更
【補正の内容】
【００２９】
本発明の時計用外装部品では、前記第３の層の平均厚さは、０．４０μｍ以上０．６０μｍ以下であることが好ましい。
【手続補正２２】
【補正対象書類名】明細書
【補正対象項目名】００３１
【補正方法】変更
【補正の内容】
【００３１】
本発明の時計用外装部品は、ベゼル、胴、りゅうず、裏蓋、時計バンドのうちの少なくともいずれか一つであることが好ましい。
これらの部材は、時計全体の外観に大きな影響を与えるとともに、時計の正常な使用時において、外部からの比較的大きな衝撃により損傷（例えば、擦り傷や打痕等）を受けやすい部材であり、優れた美的外観とともに、特に優れた耐久性が求められる部材であるが、本発明によれば、これらの要求を満足することができる。すなわち、本発明が前述したような時計用外装部品に適用される場合に、本発明による効果がより顕著に発揮される。
【手続補正２３】
【補正対象書類名】明細書
【補正対象項目名】００３２
【補正方法】変更
【補正の内容】
【００３２】
本発明の時計は、本発明の時計用外装部品を備えたことを特徴とする。
これにより、傷や打痕等の凹みが付き難く、比較的大きな外力が加わり凹みを生じた場合でも、当該凹みが目立ちにくい時計用外装部品を備えた時計を提供することができる。
【手続補正２４】
【補正対象書類名】明細書
【補正対象項目名】００６８
【補正方法】変更
【補正の内容】
【００６８】
このチャートにおける点ａの座標を（０，０）、点ｂの座標を（ｘｂ，ｙｂ）、点ｃの座標を（ｘｃ，０）、点ｄの座標を（ｘｄ，０）とすることができる。